(57)【要約】【課題】  照明装置を装着した棚板を取付下地に収まり良く取付けることができて良好な外観を確保できる棚板装置を提供する。【解決手段】  透光性を有する棚板１の後縁の略全長に亙って棚板１の後端面から棚板１の内部に照明光を入射させる照明装置２を装着する。棚板１の後縁における照明装置２の装着部位の残余部分を支持具取付部３とする。支持具取付部３に照明装置２と略同断面形状に施した棚板支持具４を取付ける。棚板支持具４の後端面を壁面５ａ等の取付下地５に接地させて固定する。【選択図】        図１
2006167363.tif 000002
【特許請求の範囲】
【請求項１】
透光性を有する棚板の後縁の略全長に亙って棚板の後端面から棚板の内部に照明光を入射させる照明装置を装着し、棚板の後縁における照明装置の装着部位の残余部分を支持具取付部とし、この支持具取付部に照明装置と略同断面形状に施した棚板支持具を取付け、この棚板支持具の後端面を壁面等の取付下地に接地させて固定したことを特徴とする棚板装置。
【発明の詳細な説明】
【技術分野】
【０００１】
本発明は、壁面などの取付下地に棚板を固定してなる棚板装置に関するものである。
【背景技術】
【０００２】
壁面などの取付下地に棚板を固定してなる棚板装置は、棚板に物を載置できる収納機能だけでなく、棚板上の載置物が部屋のアクセントとなる等の美観向上機能にも優れたものであるから、従来から室内の装飾に用いられている。近年ではインテリアに個性を求める傾向が強く、棚板装置としては、たとえば棚板を硝子板や透明樹脂板等の透明板から構成し、棚板の後端面から棚板の内部に照明光を入射させる照明装置を棚板の後縁の全長に亙って装着し、棚板自身を発光体として機能させて棚板上の載置物を照明光で浮き上がらせる視覚効果を狙ったものもある（たとえば、特許文献１参照）。
【０００３】
このような棚板装置は棚板に装着した照明措置の照明光が棚板上の載置物を部屋の大きなアクセントとすることができて部屋の美観向上に大きく資することができて好ましい。しかしながら、棚板はその後縁を壁面等の取付下地に固定して取付けるのであるから、棚板の後縁の全長に亙って照明装置を装着してしまうと棚板の後縁部分において棚板を取付下地に取付けるための箇所が確保できなくなり、また、載置物の荷重を支えて棚板を取付下地に取付けるための棚板支持具が過大になったり等、棚板の取付下地への取付構造の如何によっては棚板の取付下地への収まりが悪化することになり、載置物の部屋外観へのアクセントによる美観向上を図る以前に、棚板装置の外観が低下してしまうといった問題を有している。
【特許文献１】特開２００３−１５１３３７号公報
【発明の開示】
【発明が解決しようとする課題】
【０００４】
本発明は上記の従来の問題点に鑑みて発明したものであって、照明装置を装着した棚板を取付下地に収まり良く取付けることができて良好な外観を確保できる棚板装置を提供することを課題とするものである。
【課題を解決するための手段】
【０００５】
上記課題を解決するために本発明に係る棚板装置Ａは、透光性を有する棚板１の後縁の略全長に亙って棚板１の後端面から棚板１の内部に照明光を入射させる照明装置２を装着し、棚板１の後縁における照明装置２の装着部位の残余部分を支持具取付部３とし、この支持具取付部３に照明装置２と略同断面形状に施した棚板支持具４を取付け、この棚板支持具４の後端面を壁面５ａ等の取付下地５に接地させて固定したことを特徴とする。
【０００６】
これによると、透光性を有する棚板１の後縁の略全長に亙って棚板１の後端面から棚板１の内部に照明光を入射させる照明装置２を装着し、棚板１の後縁における照明装置２の装着部位の残余部分を支持具取付部３として棚板１を取付下地５に取付ける棚板支持具４を取付けたので、棚板１の後縁部分において棚板１を取付下地５に取付けるための箇所を確保でき、しかもこの棚板支持具４は照明装置２と略同断面形状に施しているので、隣接させた照明装置２と棚板支持具４とに一体感のある外観を現出させることができるのであり、したがって、後縁に照明装置２を装着した棚板１を取付下地５に収まり良く取付けることができ、棚板装置Ａの良好な外観を確保することができる。
【発明の効果】
【０００７】
本発明は、棚板上の載置物を照明光で浮き上がらせて美観効果を向上させるために棚板の後縁に照明装置を装着してなる棚板装置でありながら、棚板の後縁部分において棚板を取付下地に取付けるための箇所を確保でき、しかも棚板を壁面等の取付下地に固定させる棚板支持具と照明装置とを隣接させて一体感のある外観を現出できたので、棚板を収まり良く取付下地に取付けて棚板装置の良好な外観を確保できるという利点を有している。
【発明を実施するための最良の形態】
【０００８】
以下、本発明を添付図面に示す実施形態に基いて説明する。
【０００９】
本発明は、棚板１上の載置物Ｂを照明光で浮き上がらせて美観効果を向上させるために棚板１の後縁に照明装置２を装着してなる棚板装置Ａでありながら、棚板１を収まり良く取付下地５に取付けて棚板装置Ａの良好な外観を確保したことに特徴を有したものである。以下、詳述する。
【００１０】
棚板１は、図１のように、透光性を備えた平面視矩形状の板材で形成されており、たとえば硝子板や透明樹脂板で構成されている。この棚板１の内部は後端面から入射された照明装置２の照明光が通過可能にされており、棚板１の側端面及び下面には微細な複数の溝などが刻設されて反射面６が形成され、この反射面６で棚板１の内部を進む照明光を反射させて最終的に照明光を棚板１の上面から一様に放射し、この照明光で棚板１上の載置物Ｂを浮き上がらせる美観効果が得られるようにしている。
【００１１】
棚板１の後縁には、図２のように棚板１の長手方向の両端を残すようにして棚板１の略全長に亙るように照明装置２が装着されている。照明装置２は長尺の枠材で形成された断面略コ字状のハウジング７で形成されており、このハウジング７の前部には前方に突出する上突出部８と下突出部９とが形成され、上突出部８と下突出部９との間に前方及び両側方に開口せる棚板取付口１０が形成されている。ハウジング７の中空内部には照明器具１１が配設される。照明器具１１は、照明装置２の略全長に亙って所定間隔毎に配置したＬＥＤからなる複数の灯具１２と、ハウジング７から後方に突設した給電プラグ１３と、給電プラグ１３から灯具１２に給電制御する回路部１４とを有して構成される。なお、灯具１２にＬＥＤを用いたことで照明器具１１には高い耐久性や省スペース化や低消費電力化が図られている。この照明装置２を棚板１の後縁に装着するには、棚板取付口１０に前方から棚板１を挿入し、棚板１を上突出部８と下突出部９とで挟持させることで行われるのであり、このときには、棚板１の後端面にはその長手方向の略全長に亙って複数の灯具１２が沿うように配置され、棚板１の後端面から略一様に棚板１の内部に灯具１２が発した照明光が入射可能にされている。
【００１２】
棚板１の後縁における照明装置２の装着部位の残余部位は支持具取付部３とされ、棚板１を壁面５ａ等の取付下地５に固定させる棚板支持具４が取り付けられる。本例の棚板支持具４は、図３のように、互いに着脱可能な本体ブロック１５とスペーサブロック１６とから構成されており、本体ブロック１５とスペーサブロック１６とを連結させたときには、縦断面における照明装置２の外形形状と略同形状を有するように形成されている。以下、詳述する。
【００１３】
本体ブロック１５は、図４及び図５のように、その前部に棚板１を支持する棚板支持部１７を有すると共に垂直面に形成された後端面１５ａを有してなるダイキャスト製のブロック体である。棚板支持部１７は、上突出部１８と下突出部１９とを前方且つ水平に突設してこの上下の突出部１８，１９で前方に開口する水平溝２０を形成し、下突出部１９の上面に挟持板２１を重ねて配置すると共に、下突出部１９の下方から螺合した挟持用ネジ２２で挟持板２１を上下に移動可能にしたことで構成されており、水平溝２０に前方から挿入した棚板１を挟持板２１で上突出部１８の下面に押し付けることで本体ブロック１５に支持可能にしている。なお、本例の棚板支持具４は、上述の照明装置２を装着させるなど後縁形状に凹凸があって非直線状に施された変形棚板１ａや照明装置２等を装着させずに後縁形状が直線状に施された一般の棚板１ｂの両方を壁面５ａ等の取付下地５に取付け可能にしたものであり、本体ブロック１５の後端面１５ａは場合によってスペーサブロック１６と接続させる接続面として機能したり下地取付面として機能する。
【００１４】
また、本体ブロック１５は重量軽減のための肉抜きが適宜施されており、詳しくは、後端面１５ａでは後方に開口する肉抜き孔２３が複数穿設され、下突出部１９ではその下部に前方且つ下方に開口する空所２４が穿設されている。ここで、複数の肉抜き孔２３の任意の肉抜き孔２３は後述するスペーサブロック１６の位置決め突部４０を嵌合させる位置決め用孔２５を構成している。なお、本例の挟持用ネジ２２は、棚板１の支持強度向上のために下突出部１９の前後２ヵ所に設けた挟持用ネジ孔２６にスプリングワッシャ２７を介してそれぞれ空所２４から上方に向けて螺合し、上記挟持用ネジ孔２６を通って水平溝２０内に突出した各挟持用ネジ２２の先端面で下突出部１９の上面に配置された挟持板２１を突き上げるようにしており、つまり、挟持板２１は挟持用ネジ２２の挟持用ネジ孔２６への螺進の程度にて上下移動が可能にされている。ここで、挟持板２１は、図６のように、矩形板状の本体板部２１ａを有すると共に本体板部２１ａの両側縁から下方に折り曲げた一対のガイド片部２１ｂを有して形成されている。挟持板２１を下突出部１９の上に載置したときには、下突出部１９の上面から下方に穿設したスリット状のガイド孔２８にガイド片部２１ｂが挿入された状態にされるのであり、これにより、挟持用ネジ孔２６に螺進する挟持用ネジ２２の先端面が挟持板２１の本体板部２１ａの下面に回動しながら当接した際にも、挟持板２１が供廻りをしないで所定姿勢を保って上下に移動可能にされる。なお、棚板１を上下に挟持する挟持板２１の上面及び上突出部１８の下面には、それぞれ棚板１の上下面に圧接させるための弾性パッキン２９が貼着されている。棚板支持部１７で棚板１を支持したときこの弾性パッキン２９は棚板１に対するすべり抵抗を増大させて水平溝２０からの棚板１の抜けを有効に防止する。
【００１５】
また、本体ブロック１５では、前方に面する水平溝２０の後面及び空所２４の後面にそれぞれ本体ブロック１５を前後に貫通する挿通孔３０が穿設されている。なお、便宜上、水平溝２０の挿通孔３０は本体側上挿通孔３０ａと、空所２４の挿通孔３０は本体側下挿通孔３０ｂと称する。詳しくは、本体側上挿通孔３０ａは水平溝２０の後面への開口縁に取付下地５に固定させるネジ等の固定具３１の頭部や後述の連結具３３の頭部を収納するザグリ３０ａ１が形成され、また本体側下挿通孔３０ｂは縦長孔状に形成されると共にその前方開口は空所２４の後面に凹設した肉盗み用凹段部３２内に形成されており、各挿通孔３０の後方開口は本体ブロック１５の後端面１５ａに開口している。この挿通孔３０は、本体ブロック１５をスペーサブロック１６に連結させるネジ等の連結具３３を挿通させる孔として機能すると共に、本体ブロック１５を取付下地５に固定させるネジ等の固定具３１を挿通する孔として機能する。
【００１６】
また、本体ブロック１５には空所２４を覆い隠すためのカバー体３４が被着される。このカバー体３４は、図７のように、空所２４を覆い隠すために下突出部１９に対して前方且つ下方から被着されるものであり、下突出部１９の外形を一回り大きく形成したダイキャスト製の外殻体である。カバー体３４の下端面に穿設された貫通孔３５に下方からカバー用ネジ３６を挿通すると共にこのカバー用ネジ３６を下突出部１９の下端面に穿設されたカバー用ネジ孔３７に螺合させることでカバー体３４は下突出部１９を覆うように本体ブロック１５に装着される。なお、本体ブロック１５に被着したカバー体３４の外面は、図１０や図１３のように、本体ブロック１５やこれに連結したスペーサブロック１６の外面と略面一になり、またカバー体３４の貫通孔３５の孔縁にはカバー用ネジ３６の頭部を収容するザグリ３５ａが形成されており、一体感のある外観が現出できるようにされている。ここで、カバー体３４の上端にある前端部には、挟持板２１と下突出部１９の上面との間に挿入して挟持板２１を下支えする支持片部３８が設けられている。
【００１７】
スペーサブロック１６は、図８及び図９のように、垂直面に形成した前端面１６ａと後端面１６ｂとを有してなるダイキャスト製の矩形ブロック体である。前端面１６ａは本体ブロック１５と接続させる接続面として機能し、後端面１６ｂは下地取付面として機能する。スペーサブロック１６の上下部位には前縁にザグリ３９ｃを有した挿通孔３９が前後に貫通するように穿設されており、便宜上、上部の挿通孔３９はスペーサ側上挿通孔３９ａと、下部の挿通孔３９はスペーサ側下挿通孔３９ｂと称すると、スペーサ側上挿通孔３９ａは固定具３１が横方向に遊挿可能になる横長孔状に形成されている。この挿通孔３９はスペーサブロック１６を取付下地５に固定させるネジ等の固定具３１を挿通する孔として機能する。また、スペーサブロック１６の前端面１６ａには前方に向けて突設される位置決め突部４０や後方に向けて穿設された連結用ネジ孔４１が形成されている。ここで、連結用ネジ孔４１は本体ブロック１５の挿通孔３０を通った連結具３３を螺合させ、スペーサブロック１６と本体ブロック１５とを連結させる部位である。位置決め突部４０は本例では複数設けられており、その外縁形状は対応する本体ブロック１５の位置決め用孔２５の内縁に沿うような形状に施され、本体ブロック１５の後端面１５ａとスペーサブロック１６の前端面１６ａとを当接させたときに対応する位置決め用孔２５にそれぞれ嵌り込み、連結する本体ブロック１５とスペーサブロック１６との位置決めを図る部位である。なお、このスペーサブロック１６も本体ブロック１５同様に後端面１６ｂに開口する肉抜き孔４２が複数穿設されており、重量軽減が図られている。
【００１８】
上記棚板支持具４を使用して上述した後縁に照明器具１１を装着した棚板１を壁面５ａ等の取付下地５に固定するには、まず、スペーサブロック１６の後端面１６ｂを裏打ち材５ｂが配設された箇所の壁面５ａに接地させて配置し、スペーサブロック１６の挿通孔３９に前方から固定具３１を挿通して壁面５ａ及び裏打ち材５ｂに打入する。本例では、棚板１の後縁の長手方向の両端に位置する対の支持具取付部３に対応するように水平方向に所定間隔をあけて一対のスペーサブロック１６を壁面５ａに固定している。次に、スペーサブロック１６に本体ブロック１５を連結する。具体的には、図１０及び図１１のように、本体ブロック１５の後端面１５ａにスペーサブロック１６の前端面１６ａを合わせるように近接し、このとき本体ブロック１５の位置決め用孔２５にスペーサブロック１６の位置決め突部４０を嵌合させて本体ブロック１５とスペーサブロック１６との位置合わせをし、その後、前方から本体ブロック１５の挿通孔３０を挿通させた連結具３３を連結用ネジ孔４１に螺合させることで行われる。
【００１９】
次に、棚板１の支持具取付部３を取付下地５に固定された本体ブロック１５の棚板支持部１７に支持させ、最後に、本体ブロック１５にカバー体３４を取付ける。棚板支持部１７に棚板１を支持させるには、図１０及び図１１のように、壁面５ａに埋設された電気配線を照明装置２の給電プラグ１３に接続し、給電プラグ１３を壁面５ａに穿孔された給電プラグ埋設孔（図示せず）に挿入しつつ、本体ブロック１５の水平溝２０に前方から棚板１の後縁を挿入し、挟持用ネジ２２を螺進させて挟持板２１を上方移動させ、挟持板２１の上面と上突出部１８の下面とで棚板１を弾性パッキン２９を介して挟持することで基本的には行われる。本体ブロック１５にカバー体３４を取付けるには、上述のように本体ブロック１５の空所２４を覆うようにカバー体３４を前方から本体ブロック１５に被せるのであるが、このときカバー体３４の支持片部３８を挟持板２１と下突出部１９の上面との間に挿入して少なくとも支持片部３８上に挟持板２１を載せるようにし、その上で、カバー体３４の貫通孔３５に下方からカバー用ネジ３６を挿通させて本体ブロック１５のカバー用ネジ孔３７に螺合して締結させることで、カバー体３４を本体ブロック１５に取付けるのである。このようにカバー体３４はその支持片部３８が挟持板２１を下支えするように本体ブロック１５に被着されるから、棚板１を本体ブロック１５で支持するのに挟持板２１とカバー体３４の支持片部３８とで分散してその荷重を支えることが可能になって、本体ブロック１５による棚板１の支持強度を向上させ、ひいては棚板１の積載荷重性能の向上を図り得るようにされている。詳しくは、支持片部３８は棚板１の水平溝２０内にある前端位置で棚板１を支持できるから、比較的小さなモーメントで棚板１の支持強度の向上に資することができるのである。なお、本例では、上突出部１８の下面と下突出部１９の上面との間である水平溝２０の上下寸法が、棚板１、挟持板２１及び支持片部３８の各厚み寸法の加算寸法と同寸法に設定されているから、挟持板２１と下突出部１９の上面との間に挿入した支持片部３８は下突出部１９の上面に載置されており、支持片部３８で受けた棚板１の荷重は下突出部１９で受けることができてより安定的に棚板１の支持強度の向上が図られている。
【００２０】
なお、一対のスペーサブロック１６を壁面５ａに固定する際には、一旦、各スペーサブロック１６の横長孔状のスペーサ側上挿通孔３９ａにのみ固定具３１を挿通させて壁面５ａに打入し、スペーサブロック１６を横方向に移動可能な状態で壁面５ａに仮止めしておき、棚板１を仮当てして一対のスペーサブロック１６間に照明装置２が収容されることを確認した後に、スペーサブロック１６のスペーサ側下挿通孔３９ｂにも固定具３１を挿通させて壁面５ａに打入し、スペーサブロック１６を壁面５ａに本固定するのが好ましい。このようにすると、スペーサブロック１６を取付下地５に固定した後に棚板１を棚板支持具４に支持させた際に、棚板１に装着された照明装置２が固定状態にある一対のスペーサブロック１６の間に収まりきらなかったり収まっても照明装置２とスペーサブロック１６との間に余分な隙間が生じるという事態を回避して、棚板１に装着された照明装置２を一対のスペーサブロック１６間に隙間無く良好に収めることができるのであり、照明装置２を装着した棚板１を取付下地５にスムーズに取付けることができて取付け施工性を高めることができるのである。
【００２１】
上述のようにして図１に示すような、照明装置２を装着した棚板１を棚板支持具４を介して取付下地５に取付けてなる棚板装置Ａが形成されるのである。このときには、棚板１の後縁における照明装置２の装着部位の残余部分を支持具取付部３とし、この支持具取付部３に棚板支持具４を取り付けたので、棚板１の後縁部分において棚板１を取付下地５に取付けるための箇所が確保されているのである。また、棚板１に取付けた棚板支持具４の後端面（スペーサブロック１６の後端面１６ｂ）が棚板１に装着した照明装置２の後端面と面一か微少に後方に位置され、この棚板支持具４をその後端面が壁面５ａ等の取付下地５に接地されて固定させているから、取付下地５と照明装置２との間に大きな隙間が形成されるのが回避されているのであり、加えて、縦断面において棚板支持具４が照明装置２の外形形状と略同じ外形形状に施されていると共に、支持具取付部３における照明装置２の長手方向の両端に隣接して棚板支持具４が配置されているから、隣接させた照明装置２と棚板支持具４とに連続的な一体感のある外観が現出されているのである。特に、本例では、棚板１の後縁における照明装置２の長手方向の両端に設けた支持具取付部３に棚板支持具４が取付けられているから、棚板支持具４が照明装置２の両端に取付けたエンドキャップのような外観を呈し、機能の異なる棚板支持具４と照明装置２とがあたかも一体の部材のような外観に現出されているのである。つまり、後縁に照明装置２を装着した棚板１が取付下地５に収まり良く取付けられていて、棚板装置Ａに良好な外観が確保されているのである。更には、本例の棚板装置Ａは、上述のように照明装置２の照明光が棚板１の後端面から棚板１の内部に一様に入射されて最終的に棚板１の上面から一様に放射できるようにされているので、照明装置２の灯具１２を発光させた際には上記棚板１の上面から一様に放射された照明光にて棚板１上の載置物Ｂを浮き上がらせる視覚効果を得ることができ、高い美観を得ることができたものである。
【００２２】
なお、本例の棚板支持具４にあっては、上述のように照明装置２を装着させるなど後縁形状に凹凸があって非直線状に施された変形棚板１ａの他にも、後縁形状が直線状に施された一般の棚板１ｂを壁面５ａ等の取付下地５に取付けできるものである。本例の棚板支持具４を用いて一般の棚板１ｂを取付下地５に取付けるには、図１２乃至図１４のように上記構成の棚板支持具４における本体ブロック１５のみを使用して行う。詳しくは、本体ブロック１５の後端面１５ａを取付下地５である壁面５ａに接地させ、挿通孔３０に前方から固定具３１を挿入して取付下地５の裏打ち材５ｂに打入させることで、本体ブロック１５を取付下地５に固定し、その後、本体ブロック１５の棚板支持部１７に棚板１を支持させるようにして行われる。本体ブロック１５を直接取付下地５に固定したことで、棚板支持部１７に支持させた棚板１の後縁と取付下地５との距離を近接させることができ、取付下地５に棚板１を取付けた状態では取付下地５と棚板１との間に大きな隙間が発生することが回避され、棚板１上の載置物Ｂが隙間から落下する恐れを回避すると共に、棚板装置Ａに良好な外観を確保することができたものである。
【００２３】
なお、一対の本体ブロック１５を壁面５ａに固定する際には、一旦、各本体ブロック１５の縦長孔状の本体側下挿通孔３０ｂにのみ固定具３１を挿通させて壁面５ａに打入し、本体ブロック１５を上下に移動可能な状態で壁面５ａに仮固定し、一対の本体ブロック１５間の水平度を合わせるべく壁面５ａに仮止めした本体ブロック１５を上下に移動させて位置決めし、その後、本体ブロック１５の本体側上挿通孔３０ａにも固定具３１を挿通させて壁面５ａに打入して本体ブロック１５を壁面５ａに本固定するのが好ましく、これによると、一対の本体ブロック１５間の水平度の調整が容易にできて壁面５ａへの取付け施工の施工性を高めることができるのである。また、取付下地５に打入する固定具８を挿通させる本体ブロック１５の挿通孔３０及びスペーサブロック１６の挿通孔３９はいずれも上下に一対設けられているが、いずれの上下一対の挿通孔３０ａ，３０ｂ（３９ａ，３９ｂ）も縦方向に一直線状に並ばずに横方向にずれた位置に穿孔されている。これによると、上下一対の挿通孔３０ａ，３０ｂ（３９ａ，３９ｂ）を通った一対の固定具８，８は比較的近傍位置の取付下地５の箇所に打入されるのであるが、取付下地５を構成せる裏打ち材５ｂ等の木材における同じ木目位置を外すようにして打入させることができるのであり、取付下地５に割れ等の不具合を生じさせる恐れを低減できるのである。これはインテリア性を高めるために棚板支持具４を小型化した場合や、取付下地５が間柱であった場合などに特に有用である。
【００２４】
このように、本例の棚板支持具４にあっては、後縁が直線形状を有する一般の棚板１ｂに対しては本体ブロック１５のみを用い、また照明装置２を装着するなど後縁が非直線形状の変形棚板１ａに対しては本体ブロック１５及びスペーサブロック１６を用いて、それぞれ棚板１を取付下地５に取付けることができたものであり、一般の棚板１ｂ及び変形棚板１ａの取付けにかかる汎用性が備えられている。したがって、従来棚板１の種類に応じて増加していた棚板支持具４の種類を抑制することができるのであって、棚板支持具４の種類の増加に伴う製造サイドへの負担を軽減できるといった利点を有しているのである。
【図面の簡単な説明】
【００２５】
【図１】本発明の実施の形態の例の棚板装置の斜視図である。
【図２】同上の照明装置を装着した棚板であり、（ａ）は平面図であり、（ｂ）は側面図であり、（ｃ）は後面図である。
【図３】同上の棚板支持具の分解斜視図である
【図４】同上の棚板支持具の本体ブロックであり、（ａ）は側面図であり、（ｂ）は上面図であり、（ｃ）は下面図であり、（ｄ）は前面図であり、（ｅ）は後面図である。
【図５】（ａ）は図４（ｄ）のＣ−Ｃ線断面図であり、（ｂ）は図４（ａ）のＤ−Ｄ線断面図である。
【図６】同上の挟持板であり、（ａ）は平面図であり、（ｂ）は正面図であり、（ｃ）は側面図であり、（ｄ）は（ａ）のＥ−Ｅ線断面図である。
【図７】同上のカバー体であり、（ａ）は側面図であり、（ｂ）は上面図であり、（ｃ）は下面図であり、（ｄ）は前面図であり、（ｅ）は後面図であり、（ｆ）は（ｂ）のＦ−Ｆ線断面図である。
【図８】同上のスペーサブロックであり、（ａ）は側面図であり、（ｂ）は上面図であり、（ｃ）は前面図であり、（ｄ）は後面図である。
【図９】（ａ）は図８（ｃ）のＧ−Ｇ線断面図であり、（ｂ）は図８（ｃ）のＨ−Ｈ線断面図である。
【図１０】同上の照明装置を装着した棚板の取付下地への取付けに用いる棚板支持具であり、（ａ）は側面図であり、（ｂ）は上面図であり、（ｃ）は下面図であり、（ｄ）は前面図であり、（ｅ）は後面図である。
【図１１】図１の棚板装置の側断面図である。
【図１２】同上の棚板支持具の他の使用形態における棚板装置の斜視図である。
【図１３】同上の使用形態における棚板支持具であり、（ａ）は側面図であり、（ｂ）は前面図であり、（ｃ）は後面図である。
【図１４】図１２の棚板装置の側断面図である。
【符号の説明】
【００２６】
１  棚板
２  照明装置
３  支持具取付部
４  棚板支持具
５  取付下地
５ａ  壁面
Ａ  棚板装置
【図１】
2006167363.tif 000003
【図２】
2006167363.tif 000004
【図３】
2006167363.tif 000005
【図４】
2006167363.tif 000006
【図５】
2006167363.tif 000007
【図６】
2006167363.tif 000008
【図７】
2006167363.tif 000009
【図８】
2006167363.tif 000010
【図９】
2006167363.tif 000011
【図１０】
2006167363.tif 000012
【図１１】
2006167363.tif 000013
【図１２】
2006167363.tif 000014
【図１３】
2006167363.tif 000015
【図１４】
2006167363.tif 000016